(57)【要約】      （修正有）【課題】設置作業を容易にするテレビ台を提供する。【解決手段】テレビ台１０のテレビ台本体２０において、棚板３０の後端面３０Ａが、天板５０の後端面５０Ａ、底板２２の後端面２２Ａ、及び側板２８の後端面２８Ａよりも後側に配置されている。このため、テレビ台１０を室内に設置するときに、棚板の後端面３０Ａを、室内の壁部に隣接して配置しても、天板、底板、及び側板と壁との間に所定の隙間を設けることができる。これにより、テレビ台を容易に設置することができる。【選択図】図１
0003223460.tif 000002
【実用新案登録請求の範囲】
【請求項１】
前側へ開放された矩形箱状に形成され且つ内部が本体側収容部として構成された本体部と、
前記本体部の上側に設けられ、前記本体部に連結された天板と、
を備え、
前記本体部は、
底板と、
前記底板の上側に配置された左右一対の側板と、
前記側板の上側に配置された棚板と、
前記本体側収容部の内部に設けられ、前記本体側収容部を前後に仕切る仕切り板と、
を含んで構成されており、
前記棚板の後端面が、前記底板の後端面、前記側板の後端面、及び前記天板の後端面よりも後側に配置されているテレビ台。
【請求項２】
前記棚板の後端部には、後側へ開放された抉り部が形成されている請求項１に記載のテレビ台。
【請求項３】
前記抉り部が、前記棚板の左右方向中央部に設けられている請求項２に記載のテレビ台。
【請求項４】
前記仕切り板によって仕切られた前記本体側収容部の後部が、リヤ側収容部として構成され、
前記抉り部の底面が、前記底板の後端面、前記側板の後端面、及び前記天板の後端面よりも前側に配置されている請求項２又は請求項３に記載のテレビ台。
【請求項５】
前記リヤ側収容部には、前後方向から見て下側へ開放されたＵ字形状に形成された柵部材が設けられ、前記柵部材の長手方向両端部が前記底板に固定されており、
前記柵部材が、前記抉り部の底面よりも前側に配置されている請求項４に記載のテレビ台。
【考案の詳細な説明】
【技術分野】
【０００１】
本考案は、テレビ台に関する。
【背景技術】
【０００２】
下記特許文献１の載置台（テレビ台）は、底板と、底板の上側に設けられた天板と、を含んで構成されている。また、底板と天板との間には、第１の裏板と、第１の裏板の後側に配置された第２の裏板と、が設けられている。さらに、第２の裏板には、切欠きが形成されている。これにより、第１の裏板と第２の裏板との間の空間にコード類を収容することができる。また、コード類を、第２の裏板の切欠き内に配策して、電源コンセント等に接続することができる。
【先行技術文献】
【特許文献】
【０００３】
【特許文献１】特開２０００−３３３０９９号公報
【考案の概要】
【考案が解決しようとする課題】
【０００４】
しかしながら、上記載置台では、底板の後端部が、天板の後端部よりも後側へ突出している。このため、載置台を室内に設置したときに、載置台を室内の壁に隣接配置すると、第２の裏板の切欠き内を挿通したコード類が、底板と壁との間に挟み込まれる可能性がある。これにより、上記載置台では、載置台と壁との間に所定の隙間を設けて、コード類が底板と壁との間に挟み込まれないようにしながら、載置台を設置する必要がある。したがって、載置台の設置作業が煩雑になる可能性がある。また、壁面において床と接する下部領域に巾木が設けられている場合、巾木の厚みと、載置台の底板の後端部とが当たって、載置台がより前方向へ設置されることになり、載置台の天板の後方には大きな隙間が発生し、物の落下にもつながる場合もある。
【０００５】
本考案は、上記事実を考慮して、設置作業を容易にすることができるテレビ台を提供することを目的とする。
【課題を解決するための手段】
【０００６】
本考案の１又はそれ以上の実施形態は、前側へ開放された矩形箱状に形成され且つ内部が本体側収容部として構成された本体部と、前記本体部の上側に設けられ、前記本体部に連結された天板と、を備え、前記本体部は、底板と、前記底板の上側に配置された左右一対の側板と、前記側板の上側に配置された棚板と、前記本体側収容部の内部に設けられ、前記本体側収容部を前後に仕切る仕切り板と、を含んで構成されており、前記棚板の後端面が、前記底板の後端面、前記側板の後端面、及び前記天板の後端面よりも後側に配置されているテレビ台である。
【０００７】
本考案の１又はそれ以上の実施形態は、前記棚板の後端部には、後側へ開放された抉り部が形成されているテレビ台である。
【０００８】
本考案の１又はそれ以上の実施形態は、前記抉り部が、前記棚板の左右方向中央部に設けられているテレビ台である。
【０００９】
本考案の１又はそれ以上の実施形態は、前記仕切り板によって仕切られた前記本体側収容部の後部が、リヤ側収容部として構成され、前記抉り部の底面が、前記底板の後端面、前記側板の後端面、及び前記天板の後端面よりも前側に配置されているテレビ台である。
【００１０】
本考案の１又はそれ以上の実施形態は、前記リヤ側収容部には、前後方向から見て下側へ開放されたＵ字形状に形成された柵部材が設けられ、前記柵部材の長手方向両端部が前記底板に固定されており、前記柵部材が、前記抉り部の底面よりも前側に配置されているテレビ台である。
【考案の効果】
【００１１】
本考案の１又はそれ以上の実施形態によれば、設置作業を容易にすることができる。
【図面の簡単な説明】
【００１２】
【図１】本実施の形態に係るテレビ台を示す右側から見た側面図である。
【図２】図１に示されるテレビ台を右斜め前方から見た斜視図である。
【図３】図１に示されるテレビ台を右斜め後方から見た斜視図である。
【図４】（Ａ）は、図１に示されるテレビ台を前側から見た正面図であり、（Ｂ）は、（Ａ）のテレビ台を後側から見た後面図である。
【図５】図４（Ａ）に示されるテレビ台の左右方向中央部を示す右側から見た側断面図（図４（Ａ）の５−５線断面図）である。
【考案を実施するための形態】
【００１３】
以下、図面を用いて、本実施の形態に係るテレビ台１０について説明する。なお、図面において適宜示される矢印ＵＰ，矢印ＦＲ，矢印ＲＨは、それぞれテレビ台１０の上側、前側、右側（幅方向一方側）を示している。そして、以下の説明において、上下、前後、左右の方向を用いて説明するときには、特に断りのない限り、テレビ台１０の上下方向、前後方向、左右方向を示すものとする。
【００１４】
図１〜図５に示されるように、テレビ台１０は、全体として左右方向に延在された略矩形箱状に形成されている。テレビ台１０は、「本体部」としてのテレビ台本体２０と、テレビ台本体２０の上側に設けられた天板５０と、複数（本実施の形態では、５個）の柵部材６０と、を含んで構成されている。以下、テレビ台１０の構成について説明する。
【００１５】
（テレビ台本体２０について）
テレビ台本体２０は、左右方向に延在され且つ前側へ開放された略矩形箱状に形成されている。具体的には、テレビ台本体２０は、底板２２と、テレビ台本体２０の左右方向両端部を構成する左右一対の側板２８と、テレビ台本体２０の上端部を構成する棚板３０と、を含んで構成されている。
【００１６】
底板２２は、上下方向を板厚方向とし且つ左右方向を長手方向とする略矩形板状に形成されている。底板２２の下面の前端部には、第１脚部材２４が組付けられている。第１脚部材２４は、左右方向に延在されると共に、左右方向から見て略矩形状に形成されて、第１脚部材２４の略長手方向全体に亘って延在されている。また、底板２２の下面には、複数（本実施の形態では、３箇所）の第２脚部材２６が組付けられている。第２脚部材２６は、前後方向に延在されると共に、前後方向から見て略矩形状に形成されている。そして、第２脚部材２６が、底板２２の下面の左右方向両端側の部分及び左右方向中央部に組付けられている。また、第２脚部材２６の前端部は、第１脚部材２４の後側に隣接して配置されており、第２脚部材２６の後端部は、底板２２の後端面２２Ａよりも前側に配置されている。
【００１７】
左右一対の側板２８は、左右方向を板厚方向とし且つ前後方向を長手方向とする略矩形板状に形成されている。そして、側板２８が、底板２２の左右方向両端部の上側にそれぞれ配置されて、側板２８の下端部が、底板２２に組付けられている。また、側板２８の後端面２８Ａが、底板２２の後端面２２Ａよりも若干前側に配置されている（図１参照）。
【００１８】
棚板３０は、上下方向を板厚方向とし且つ左右方向を長手方向とする略矩形板状に形成されている。そして、棚板３０の左右方向両端部が、一対の側板２８の上端面に載置されて、側板２８の上端部に組付けられている。棚板３０の後端面３０Ａは、底板２２の後端面２２Ａ及び側板２８の後端面２８Ａよりも後側に配置されて、棚板３０の後端部が、底板２２及び側板２８よりも後側へ突出している（図１参照）。
【００１９】
棚板３０の後端部には、左右方向中央部において、「抉り部」としての配線溝３０Ｂが形成されている。配線溝３０Ｂは、平面視で、後側へ開放された凹状に形成されている。さらに、配線溝３０Ｂの底面３０Ｂ１が底板２２の後端面２２Ａ及び側板２８の後端面２８Ａよりも前側へ配置されるように、配線溝３０Ｂの深さが設定されている（図５参照）。
【００２０】
また、テレビ台本体２０は、左右一対の区画板３２を有している。区画板３２は、左右方向を板厚方向とし且つ前後方向を長手方向とする略矩形板状に形成されている。そして、一対の区画板３２が、一対の側板２８の間に配置され、区画板３２の下端部が底板２２に組付けられると共に、区画板３２の上端部が棚板３０に組付けられている。区画板３２の後端面は、棚板３０の配線溝３０Ｂよりも前側に配置されている（図５参照）。また、左右一対の区画板３２は、底板２２の左右方向中央部に対して左右対称となる位置に配置されている。
【００２１】
さらに、テレビ台本体２０は、「仕切り板」としてのセンタ仕切り板３４を有している。センタ仕切り板３４は、前後方向を板厚方向とした略矩形板状に形成されて、一対の区画板３２における後端部の間に配置されている。また、センタ仕切り板３４の下端部は、底板２２の上面に形成された底板スリット２２Ｂ（図５参照）内に挿入されており、センタ仕切り板３４の上端部は、棚板３０の下面に形成された下側スリット３０Ｃ（図５参照）内に挿入されている。これにより、センタ仕切り板３４が棚板３０の配線溝３０Ｂよりも前側に配置されている。また、センタ仕切り板３４の下端側の部分には、左右方向中央部において、円形状の配線孔３４Ａが貫通形成されている。
【００２２】
また、テレビ台本体２０は、「仕切り板」としての左右一対のサイド仕切り板３６を有している。サイド仕切り板３６は、センタ仕切り板３４と同様に、前後方向を板厚方向とした略矩形板状に形成されて、側板２８と区画板３２の後端部との間に、それぞれ配置されている。また、図示は省略するが、サイド仕切り板３６の下端部は、底板２２の上面に形成された底板スリット２２Ｂ内に挿入されており、サイド仕切り板３６の上端部は、棚板３０の下面に形成された下側スリット３０Ｃ内に挿入されている。さらに、前後方向におけるサイド仕切り板３６の位置とセンタ仕切り板３４の位置とが一致している。すなわち、サイド仕切り板３６が棚板３０の配線溝３０Ｂよりも前側に配置されている。また、サイド仕切り板３６の下端側の部分には、左右方向中央部において、円形状の配線孔３６Ａが貫通形成されている。
【００２３】
ここで、テレビ台本体２０の内部（底板２２、左右一対の側板２８、及び棚板３０によって囲まれた内部空間）が、本体側収容部３８として構成されている。そして、本体側収容部３８が、センタ仕切り板３４及びサイド仕切り板３６によって前後に仕切られている。この本体側収容部３８の後部（センタ仕切り板３４及びサイド仕切り板３６よりも後側部分）は、「リヤ側収容部」としてのコード・機器収容部３８Ａとされており、コード・機器収容部３８Ａの内部空間と、棚板３０の配線溝３０Ｂの一部（底部側の部分）と、が平面視で重なっている。そして、コード・機器収容部３８Ａにおいて、音響機器等のコード類や電子機器等を収容できるように構成されている。
【００２４】
また、本体側収容部３８の前部（センタ仕切り板３４及びサイド仕切り板３６よりも前側部分）は、前述した区画板３２によって、左右方向に３箇所に区画されている。具体的には、本体側収容部３８の前部が、右側から第１機器収容部３８Ｂ、第２機器収容部３８Ｃ、及び第３機器収容部３８Ｄ（広義には、「フロント側収容部」として把握される要素である）として区画されている（図２参照）。この第１機器収容部３８Ｂ、第２機器収容部３８Ｃ、及び第３機器収容部３８Ｄは、音響機器等を収容する収容部として構成されている。これにより、第１機器収容部３８Ｂ、第２機器収容部３８Ｃ、及び第３機器収容部３８Ｄに音響機器等を収容して、音響機器等のコード類を、センタ仕切り板３４の配線孔３４Ａ及びサイド仕切り板３６の配線孔３６Ａ内に挿通させて、コード・機器収容部３８Ａに収容できるようになっている。
【００２５】
また、第２機器収容部３８Ｃには、上下方向を板厚方向とした中板４０が設けられており、中板４０によって第２機器収容部３８Ｃが、上下に区画されている。
【００２６】
棚板３０の上側には、４隅の角部付近において、支持柱４２が設けられている。支持柱４２は、上下方向に延在された矩形柱状に形成されており、支持柱４２の下端部が棚板３０に組付けられている。また、棚板３０の上側には、棚板３０の左右方向中間部において、左右一対の支持板４４が設けられている。支持板４４は、左右方向を板厚方向とし且つ前後方向を長手方向とする略矩形板状に形成されている。そして、支持板４４の下端部が、棚板３０に組付けられている。また、支持板４４は、棚板３０の左右方向中央部に対して左右対称の位置に配置されている。詳しくは、支持板４４の左右方向の位置が、区画板３２の左右方向の位置と一致している。また、上下方向における支持柱４２及び支持板４４の上端面の位置が一致している。
【００２７】
また、棚板３０の上側には、左右一対の支持板４４の後端部の間において、背面板４６が設けられている。背面板４６は、前後方向を板厚方向とし且つ左右方向を長手方向とする略矩形板状に形成されている。そして、背面板４６が、棚板３０の配線溝３０Ｂの前側に配置されて、背面板４６の下端部が、棚板３０の上面に形成された上側スリット３０Ｄ（図５参照）内に挿入されている。背面板４６の左右方向中央部には、円形状の配線孔４６Ａが貫通形成されており、配線孔４６Ａは、棚板３０の左右方向中央部に配置されている。すなわち、左右方向における配線孔４６Ａと配線溝３０Ｂとの位置が一致している。
【００２８】
（天板５０について）
天板５０は、上下方向を板厚方向とし且つ左右方向を長手方向とする略矩形板状に形成されている。そして、天板５０が、支持柱４２及び支持板４４の上端面に載置されて、支持柱４２及び支持板４４の上端部に組付けられている。これにより、天板５０がテレビ台本体２０に連結されて、天板５０の上側にテレビ等を載置できるように構成されている。また、テレビのコード類を棚板３０の配線溝３０Ｂを介してコード・機器収容部３８Ａ側へ引き回して、コード・機器収容部３８Ａに収容できるようになっている。
【００２９】
また、天板５０の支持柱４２及び支持板４４への組付状態では、前後方向における、天板５０の後端面５０Ａと、底板２２の後端面２２Ａと、の位置が一致している。すなわち、棚板３０の後端面３０Ａが、天板５０の後端面５０Ａよりも後側に配置されて、棚板３０の後端部が、底板２２よりも後側へ突出している（図１参照）。さらに、前述した棚板３０における配線溝３０Ｂの底面３０Ｂ１が、天板５０の後端面５０Ａよりも前側に配置されている。また、天板５０の支持柱４２及び支持板４４への組付状態では、背面板４６の上端部が、天板５０の下面に形成された天板スリット５０Ｂ（図５参照）内に挿入されている。
【００３０】
さらに、天板５０、棚板３０、及び一対の支持板４４によって囲まれた空間が、第４機器収容部５２として構成されている。そして、第４機器収容部５２に音響機器等を収容して、音響機器等のコード類を配線孔４６Ａ内に挿通させて、コード・機器収容部３８Ａに収容できるようになっている。具体的には、配線孔４６Ａから後側へ延出されたコード類を、棚板３０の配線溝３０Ｂ内に配置して、コード・機器収容部３８Ａ側へ引き回して、コード・機器収容部３８Ａに収容できるようになっている。
【００３１】
（柵部材６０について）
柵部材６０は、略長尺丸棒状に形成されて、前後方向から見て、下側へ開放された略Ｕ字形状に屈曲されている。そして、柵部材６０の長手方向両端部が、底板２２の後端部に固定されて、柵部材６０が、コード・機器収容部３８Ａの後端部に配置されている。また、複数の柵部材６０は、左右方向に所定の間隔を空けて並んで配置されており、複数の柵部材６０の前後方向の位置は、同じ位置に配置されている。これにより、コード・機器収容部３８Ａに収容されたコード類や電子機器等が、コード・機器収容部３８Ａから後側へ突出することを柵部材６０によって抑制する構成になっている。
【００３２】
また、５箇所の柵部材６０における左右方向中央に配置された柵部材６０は、棚板３０の配線溝３０Ｂの下側に配置されている。さらに、柵部材６０は、配線溝３０Ｂの底面３０Ｂ１に対して前側に配置されている。本実施の形態では、左右方向から見て、配線溝３０Ｂの底面３０Ｂ１と柵部材６０の後端との位置が一致している（図５参照）。
【００３３】
（作用効果）
次に、本実施の形態の作用及び効果について説明する。
【００３４】
上記のように構成されたテレビ台１０は、前側へ開放された矩形箱状のテレビ台本体２０と、テレビ台本体２０の上側に設けられ且つテレビ台本体２０に連結された天板５０と、を有している。これにより、天板５０の上側にテレビを載置することができる。また、テレビ台本体２０の内部は、本体側収容部３８として構成されており、本体側収容部３８が、センタ仕切り板３４及びサイド仕切り板３６によって前後に仕切られている。具体的には、本体側収容部３８の前部が、第１機器収容部３８Ｂ、第２機器収容部３８Ｃ、及び第３機器収容部３８Ｄとして構成され、本体側収容部３８の後部が、コード・機器収容部３８Ａとして構成されている。これにより、第１機器収容部３８Ｂ、第２機器収容部３８Ｃ、及び第３機器収容部３８Ｄ内に収容した音響機器等のコード類を、コード・機器収容部３８Ａ内に収容することができる。したがって、テレビ台１０の見栄えを向上することができる。
【００３５】
ここで、テレビ台本体２０では、棚板３０の後端面３０Ａが、底板２２の後端面２２Ａ、側板２８の後端面２８Ａ、及び天板５０の後端面５０Ａよりも後側に配置されている。このため、テレビ台１０を室内に設置するときに、棚板３０の後端面３０Ａを、室内の壁部に隣接して配置しても、底板２２及び側板２８と壁との間に所定の隙間を設けることができる。また、天板５０と壁との間に所定の隙間を設けることができる。これにより、テレビ台１０を容易に設置することができる。
【００３６】
すなわち、仮に、前後方向における棚板３０の後端面３０Ａ、底板２２の後端面２２Ａ、側板２８の後端面２８Ａ、及び天板５０の後端面５０Ａの位置を一致させた場合には、テレビ台１０に収容された音響機器等のコード類が、底板２２と壁との間に挟み込まれないように、底板２２と壁との間に所定の隙間を設けて、テレビ台１０を設置する必要がある。また、天板５０に載置されたテレビのコード類が、天板５０と壁との間に挟み込まれないように、天板５０と壁との間に所定の隙間を設けて、テレビ台１０を設置する必要がある。このため、テレビ台１０の設置作業が煩雑になる可能性がある。
【００３７】
これに対して、本実施の形態のテレビ台１０では、上述のように、棚板３０の後端面３０Ａが、底板２２の後端面２２Ａ、側板２８の後端面２８Ａ、及び天板５０の後端面５０Ａよりも後側に配置されている。このため、テレビ台１０を室内に設置するときに、棚板３０の後端面３０Ａを、室内の壁部に隣接して配置しても、底板２２と壁との間及び天板５０と壁との間に所定の隙間を設けることができる。その結果、テレビ台１０に収容された音響機器等のコード類が、底板２２と壁との間に挟み込まれることを抑制できる。また、天板５０に載置されたテレビのコード類が、天板５０と壁との間に挟み込まれることを抑制できる。以上により、テレビ台１０を容易に設置することができる。
【００３８】
また、棚板３０の後端部には、左右方向中央部において、後側へ開放された配線溝３０Ｂが形成されている。このため、例えば、天板５０の上にテレビを載置して、当該テレビのコード類を、配線溝３０Ｂを介してコード・機器収容部３８Ａ内に収容することができる。また、第４機器収容部５２に収容された音響機器等のコード類を、配線溝３０Ｂを介してコード・機器収容部３８Ａ内に収容することができる。したがって、テレビ台１０の見栄えを一層向上することができる。
【００３９】
また、配線溝３０Ｂの底面３０Ｂ１が、底板２２の後端面２２Ａ、側板２８の後端面２８Ａ、及び天板５０の後端面５０Ａよりも前側に配置されている。これにより、平面視で、配線溝３０Ｂの内部を、コード・機器収容部３８Ａの内部に重なるように配置することができる。その結果、天板５０に載置されたテレビや第４機器収容部５２に収容された音響機器等のコード類を、配線溝３０Ｂを介して、コード・機器収容部３８Ａ内へ良好に収容させることができる。
【００４０】
また、底板２２の後端部には、略長尺棒状の柵部材６０が設けられており、柵部材６０は、前後方向から見て下側へ開放されたＵ字形状に屈曲されている。そして、柵部材６０の長手方向両端部が、底板２２の後端部に固定されて、柵部材６０がコード・機器収容部３８Ａに配置されている。さらに、柵部材６０は、棚板３０における配線溝３０Ｂの底面３０Ｂ１よりも前側に配置されている。これにより、天板５０に載置されたテレビや第４機器収容部５２に収容された音響機器等のコード類を配線溝３０Ｂ内に配置したときには、当該コード類を柵部材６０によって前側に引き込んで、コード・機器収容部３８Ａ内に収容させることができる。これにより、天板５０に載置されたテレビや第４機器収容部５２に収容された音響機器等のコード類を良好に配策して、コード・機器収容部３８Ａ内に収容させることができる。
【符号の説明】
【００４１】
１０          テレビ台
２０          テレビ台本体（本体部）
２２          底板
２２Ａ        底板の後端面
２８          側板
２８Ａ        側板の後端面
３０          棚板
３０Ａ        棚板の後端面
３０Ｂ        配線溝（抉り部）
３０Ｂ１      配線溝の底面（抉り部の底面）
３４          センタ仕切り板（仕切り板）
３６          サイド仕切り板（仕切り板）
３８          本体側収容部
３８Ａ        コード・機器収容部（リヤ側収容部）
５０          天板
５０Ａ        天板の後端面
６０          柵部材
【図１】
0003223460.tif 000003
【図２】
0003223460.tif 000004
【図３】
0003223460.tif 000005
【図４】
0003223460.tif 000006
【図５】
0003223460.tif 000007